【誤訳訂正書】
【提出日】平成22年4月12日(2010.4.12)
【誤訳訂正１】
【訂正対象書類名】特許請求の範囲
【訂正対象項目名】全文
【訂正方法】変更
【訂正の内容】
【特許請求の範囲】
【請求項１】
少なくとも一つの記録層を有する１回だけ記録可能な記録媒体の欠陥管理方法において、
前記記録媒体上に予め決められた固定の大きさを有する少なくとも一つの一時欠陥管理領域と、予め決められた固定の大きさでない大きさを有する少なくとも一つの一時欠陥管理領域とをそれぞれ割り当てるステップと、
前記記録媒体がファイナライズされるかまたは前記一時欠陥管理領域がフルになるまで、予め決められた固定の大きさを有する前記少なくとも一つの一時欠陥管理領域及び／または予め決められた固定の大きさでない大きさを有する前記少なくとも一つの一時欠陥管理領域上に欠陥管理情報を記録するステップと、
前記記録媒体がファイナライズされるときまたは前記一時欠陥管理領域がフルになった場合、前記欠陥管理情報を前記記録媒体の少なくとも一つの欠陥管理領域に記録するステップと
を備えることを特徴とする方法。
【請求項２】
前記割り当てステップにおいて、前記記録媒体は、少なくとも二つの記録層を有し、第一の記録層には、予め決められた固定の大きさを有する一時欠陥管理領域と可変の大きさを有する一時欠陥管理領域とを含み、第二の記録層には、予め決められた固定の大きさを有する一時欠陥管理領域と可変の大きさを有する少なくとも二つの一時欠陥管理領域とを含むことを特徴とする請求項１に記載の方法。
【請求項３】
前記割り当てステップにおいて、予め決められた固定の大きさを有する前記少なくとも一つの一時欠陥管理領域は、前記記録媒体のリードイン領域およびリードアウト領域の少なくとも一方に割り当てられることを特徴とする請求項１に記載の方法。
【請求項４】
前記割り当てステップにおいて、予め決められた固定の大きさでない大きさを有する前記少なくとも一つの一時欠陥管理領域は、前記記録媒体の少なくとも一つのスペア領域内に割り当てられることを特徴とする請求項３に記載の方法。
【請求項５】
前記少なくとも一つのスペア領域は、前記記録媒体上の内側のスペア領域と外側のスペア領域とを含むことを特徴とする請求項４に記載の方法。
【請求項６】
前記割り当てステップは、
一部が欠陥領域を代替するために使用される少なくとも一つの内側のスペア領域を割り当てるステップと、
一部が欠陥領域を代替するために使用される少なくとも一つの外側のスペア領域を割り当てるステップと、
前記少なくとも一つの内側のスペア領域または外側のスペア領域の一部を欠陥管理情報を管理するための一時欠陥管理領域として割り当てるステップと
をさらに備えることを特徴とする請求項１に記載の方法。
【請求項７】
前記割り当てステップにおいて、前記少なくとも一つの一時欠陥管理領域は前記記録媒体の第一の外側のスペア領域に割り当てられ、前記第一の外側のスペア領域の全体の大きさに応じた可変の大きさを有することを特徴とする請求項１に記載の方法。
【請求項８】
前記割り当てステップにおいて、前記記録媒体は、少なくとも二つの記録層を有し、第一の記録層には、全領域が欠陥領域を代替するために活用される第一のインナー・スペア領域と、可変の大きさにて割り当てられる第一のアウター・スペア領域とを含み、第二の記録層には、第二のインナー・スペア領域と第二のアウター・スペア領域とを含むことを特徴とする請求項１に記載の方法。
【請求項９】
前記割り当てステップにおいて、前記少なくとも一つのスペア領域が割り当てられていない場合、予め決められた固定の大きさでない大きさを有する前記少なくとも一つの一時欠陥管理領域が割り当てられず、予め決められた固定の大きさを有する前記少なくとも一つの一時欠陥管理領域だけが割り当てられることを特徴とする請求項４に記載の方法。
【請求項１０】
前記割り当てステップにおいて、前記少なくとも一つのスペア領域が割り当てられている場合、予め決められた固定の大きさでない大きさを有する前記少なくとも一つの一時欠陥管理領域が割り当てられず、予め決められた固定の大きさを有する前記少なくとも一つの一時欠陥管理領域だけが割り当てられることを特徴とする請求項４に記載の方法。
【請求項１１】
前記記録媒体は、１回だけ記録可能なブルーレイディスク（ＢＤ−ＷＯ）であることを特徴とする請求項１に記載の方法。
【請求項１２】
前記記録ステップにおいて、前記欠陥管理情報は、少なくとも一つの一時欠陥リスト（ＴＤＦＬ）と少なくとも一つの一時ディスク定義構造（ＴＤＤＳ）とを含むことを特徴とする請求項１に記載の方法。
【請求項１３】
前記少なくとも一つの一時ディスク定義構造（ＴＤＤＳ）は、固定の大きさを有し、前記少なくとも一つの一時欠陥リスト（ＴＤＦＬ）は、可変の大きさを有することを特徴とする請求項１２に記載の方法。
【請求項１４】
前記少なくとも一つの一時欠陥リスト（ＴＤＦＬ）と前記少なくとも一つの一時ディスク定義構造（ＴＤＤＳ）は、別々に記録されることを特徴とする請求項１２に記載の方法。
【請求項１５】
前記少なくとも一つの一時欠陥リスト（ＴＤＦＬ）と前記少なくとも一つの一時ディスク定義構造（ＴＤＤＳ）とが統合され記録されることを特徴とする請求項１２に記載の方法。
【請求項１６】
前記記録ステップにおいて、予め決められた固定の大きさを有する前記少なくとも一つの一時欠陥管理領域と予め決められた固定の大きさでない大きさを有する前記少なくとも一つの一時欠陥管理領域とは、前記欠陥管理情報を記録するために連続的（ｓｅｑｕｅｎｔｉａｌ）に使用されることを特徴とする請求項１に記載の方法。
【請求項１７】
前記記録ステップにおいて、予め決められた固定の大きさを有する前記少なくとも一つの一時欠陥管理領域と予め決められた固定の大きさでない大きさを有する前記少なくとも一つの一時欠陥管理領域とは、前記欠陥管理情報を記録するために予め決められた順番なしにランダム（ｒａｎｄｏｍ）に使用されることを特徴とする請求項１に記載の方法。
【請求項１８】
前記記録ステップにおいて、予め決められた固定の大きさを有する前記少なくとも一つの一時欠陥管理領域と予め決められた固定の大きさでない大きさを有する前記少なくとも一つの一時欠陥管理領域とは、記録される前記欠陥管理情報の重要度（ｓｉｇｎｉｆｉｃａｎｃｅ）に応じた順序で使用されることを特徴とする請求項１に記載の方法。
【請求項１９】
前記記録ステップにおいて、予め決められた固定の大きさを有する前記少なくとも一つの一時欠陥管理領域と予め決められた固定の大きさでない大きさを有する前記少なくとも一つの一時欠陥管理領域とは、前記記録媒体内に存在する欠陥領域の数に応じた順序で使用されることを特徴とする請求項１に記載の方法。
【請求項２０】
前記記録ステップにおいて、前記欠陥管理情報は、予め決められた固定の大きさを有する前記少なくとも一つの一時欠陥管理領域と予め決められた固定の大きさでない大きさを有する前記少なくとも一つの一時欠陥管理領域上に、前の欠陥管理情報のアップデート時間と現在の欠陥管理情報のアップデート時間との時間間隔（ｔｉｍｅ  ｄｕｒａｔｉｏｎ）に応じて記録されることを特徴とする請求項１に記載の方法。
【請求項２１】
前記前の欠陥管理情報のアップデート時間と現在の欠陥管理情報のアップデート時間との時間間隔が、基準時間間隔を超える場合には、前記欠陥管理情報を予め決められた固定の大きさを有する前記少なくとも一つの一時欠陥管理領域上に記録することを特徴とする請求項２０に記載の方法。
【請求項２２】
前記記録ステップにおいて、前記欠陥管理情報は、前記記録媒体の使用時には予め決められた固定の大きさでない大きさを有する前記少なくとも一つの一時欠陥管理領域上に記録され、前記記録媒体の取り出し時には予め決められた固定の大きさを有する前記少なくとも一つの一時欠陥管理領域上に記録されることを特徴とする請求項１に記載の方法。
【請求項２３】
データの記録時に欠陥領域が発生した場合、欠陥領域に記録されるデータを予め決められた領域上に代替記録し、前記記録ステップにおいて、前記欠陥領域に関わる欠陥管理情報は、前記発生した欠陥領域に最も近い一時欠陥管理領域がどちらであるかに応じて、予め決められた固定の大きさを有する前記少なくとも一つの一時欠陥管理領域または可変の大きさを有する前記少なくとも一つの一時欠陥管理領域のいずれかにランダムに記録することを特徴とする請求項１に記載の方法。
【請求項２４】
前記記録媒体の初期のローディング時に先ず、予め決められた固定の大きさでない大きさを有する前記少なくとも一つの一時欠陥管理領域にアクセスすることを特徴とする請求項１に記載の方法。
【請求項２５】
前記記録ステップにおいて、前記欠陥管理情報は、前記一時欠陥管理領域のどの領域がフル（ｆｕｌｌ）であるかの通知を与えるフル指示情報を含むことを特徴とする請求項１に記載の方法。
【請求項２６】
前記記録媒体のスペア領域がフルになった場合、前記欠陥管理情報を前記記録媒体上の前記少なくとも一つの欠陥管理領域に記録するステップを更に備えることを特徴とする請求項１に記載の方法。
【請求項２７】
１回だけ記録可能な記録媒体の欠陥管理装置において、
前記記録媒体上にデータを記録し、前記記録媒体からデータを再生するために構成されたピックアップと、
前記記録媒体上に予め決められた固定の大きさを有する少なくとも一つの一時欠陥管理領域と、予め決められた固定の大きさでない大きさを有する少なくとも一つの一時欠陥管理領域とをそれぞれ割り当てるようにピックアップを制御するために構成されたマイクロコンピュータとを備え、
前記マイクロコンピュータは、前記記録媒体がファイナライズされるまで、または前記一時欠陥管理領域がフルになるまで、前記ピックアップを制御して、予め定められた固定の大きさを有する前記少なくとも一つの一時欠陥管理領域及び／または予め決められた固定の大きさでない大きさを有する前記少なくとも一つの一時欠陥管理領域上に欠陥管理情報を記録するために構成され、
前記マイクロコンピュータは、前記記録媒体がファイナライズされるかまたは前記一時欠陥管理領域がフルになった場合、前記ピックアップを制御して、前記欠陥管理情報を、前記記録媒体の少なくとも一つの欠陥管理領域に記録するために構成されたことを特徴とする記録媒体の欠陥管理装置。
【請求項２８】
少なくとも一つの記録層を有する１回だけ記録可能な記録媒体であって、
予め決められた固定の大きさを有する少なくとも一つの一時欠陥管理領域と、予め決められた固定の大きさでない大きさを有する少なくとも一つの一時欠陥管理領域とを備え、
予め決められた固定の大きさを有する前記少なくとも一つの一時欠陥管理領域及び／または予め決められた固定の大きさでない大きさを有する前記少なくとも一つの一時欠陥管理領域上に欠陥管理情報が記録され、
前記記録媒体がファイナライズされるかまたは前記一時欠陥管理領域がフルになった場合に前記欠陥管理情報を記録する少なくとも一つの欠陥管理領域をさらに備えることを特徴とする１回だけ記録可能な記録媒体。
【請求項２９】
前記記録媒体は、少なくとも二つの記録層を含み、
第一の記録層には、予め決められた固定の大きさを有する一時欠陥管理領域と予め決められた固定の大きさでない大きさを有する一時欠陥管理領域とを含み、
第二の記録層には、予め決められた固定の大きさを有する一時欠陥管理領域と予め決められた固定の大きさでない大きさを有する少なくとも二つの一時欠陥管理領域とを含むことを特徴とする請求項２８に記載の記録媒体。
【請求項３０】
予め決められた固定の大きさを有する前記少なくとも一つの一時欠陥管理領域は、前記記録媒体のリードイン領域およびリードアウト領域の少なくとも一方に配置されることを特徴とする請求項２８に記載の記録媒体。
【請求項３１】
予め決められた固定の大きさでない大きさを有する前記少なくとも一つの一時欠陥管理領域は、前記記録媒体の少なくとも一つのスペア領域内に配置されることを特徴とする請求項３０に記載の記録媒体。
【請求項３２】
前記少なくとも一つのスペア領域は、前記記録媒体上の内側のスペア領域と外側のスペア領域とを含むことを特徴とする請求項３１に記載の記録媒体。
【請求項３３】
一部が欠陥領域の代替領域として使用される少なくとも一つの内側のスペア領域と、
一部が欠陥領域の代替領域として使用される少なくとも一つの外側のスペア領域と、
を更に備え、前記外側のスペア領域または内側のスペア領域の一部を欠陥管理情報を管理するための一時欠陥管理領域として使用することを特徴とする請求項２８に記載の記録媒体。
【請求項３４】
予め決められた固定の大きさでない大きさを有する前記少なくとも一つの一時欠陥管理領域は前記記録媒体上の第一の外側のスペア領域に配置され、前記第一の外側のスペア領域の全体の大きさに応じた可変の大きさを有することを特徴とする請求項２８に記載の記録媒体。
【請求項３５】
前記記録媒体は、少なくとも二つの記録層を備え、
第一の記録層には、全領域が欠陥領域を代替するために活用される第一のインナー・スペア領域と、可変の大きさにて割り当てられる第一のアウター・スペア領域とを含み、
第二の記録層には、第二のインナー・スペア領域と第二のアウター・スペア領域とを含むことを特徴とする請求項２８に記載の記録媒体。
【請求項３６】
前記記録媒体は、１回だけ記録可能なブルーレイディスク（ＢＤ−ＷＯ）であることを特徴とする請求項２８に記載の記録媒体。
【請求項３７】
前記欠陥管理情報は、少なくとも一つの一時欠陥リスト（ＴＤＦＬ）と少なくとも一つの一時ディスク定義構造（ＴＤＤＳ）とを含むことを特徴とする請求項２８に記載の記録媒体。
【請求項３８】
前記少なくとも一つの一時ディスク定義構造（ＴＤＤＳ）は、固定の大きさを有し、前記一時欠陥リスト（ＴＤＦＬ）は、可変の大きさを有することを特徴とする請求項３７に記載の記録媒体。
【請求項３９】
前記一時欠陥リスト（ＴＤＦＬ）と前記一時ディスク定義構造（ＴＤＤＳ）とは、別々に記録されることを特徴とする請求項３７に記載の記録媒体。
【請求項４０】
前記一時欠陥リスト（ＴＤＦＬ）と前記一時ディスク定義構造（ＴＤＤＳ）とが統合され記録されることを特徴とする請求項３７に記載の記録媒体。
【請求項４１】
予め決められた固定の大きさを有する前記少なくとも一つの一時欠陥管理領域と予め決められた固定の大きさでない大きさを有する前記少なくとも一つの一時欠陥管理領域は、前記欠陥管理情報を記録するために連続的（ｓｅｑｕｅｎｔｉａｌ）に使用されることを特徴とする請求項２８に記載の記録媒体。
【請求項４２】
予め決められた固定の大きさを有する前記少なくとも一つの一時欠陥管理領域と予め決められた固定の大きさでない大きさを有する前記少なくとも一つの一時欠陥管理領域とは、前記欠陥管理情報を記録するために予め決められた順番なしにランダム（ｒａｎｄｏｍ）に使用されることを特徴とする請求項２８に記載の記録媒体。
【請求項４３】
予め決められた固定の大きさを有する前記少なくとも一つの一時欠陥管理領域と予め決められた固定の大きさでない大きさを有する前記少なくとも一つの一時欠陥管理領域は、記録される前記欠陥管理情報の重要度（ｓｉｇｎｉｆｉｃａｎｃｅ）に応じた順序で使用されることを特徴とする請求項２８に記載の記録媒体。
【請求項４４】
予め決められた固定の大きさを有する前記少なくとも一つの一時欠陥管理領域と予め決められた固定の大きさでない大きさを有する前記少なくとも一つの一時欠陥管理領域とは、前記記録媒体内に存在する欠陥領域の数に応じた順序で使用されることを特徴とする請求項２８に記載の記録媒体。
【請求項４５】
前記欠陥管理情報は、予め決められた固定の大きさを有する前記少なくとも一つの一時欠陥管理領域及び予め決められた固定の大きさでない大きさを有する前記少なくとも一つの一時欠陥管理領域上に、前の欠陥管理情報のアップデート時間と現在の欠陥管理情報のアップデート時間との時間間隔（ｔｉｍｅ  ｄｕｒａｔｉｏｎ）に応じて記録されることを特徴とする請求項２８に記載の記録媒体。
【請求項４６】
前記前の欠陥管理情報のアップデート時間と現在の欠陥管理情報のアップデート時間との時間間隔が、基準時間間隔を超える場合には、前記欠陥管理情報を予め決められた固定の大きさを有する前記少なくとも一つの一時欠陥管理領域上に記録することを特徴とする請求項４５に記載の記録媒体。
【請求項４７】
前記欠陥管理情報は、前記記録媒体の使用時には予め決められた固定の大きさでない大きさを有する前記少なくとも一つの一時欠陥管理領域上に記録され、前記記録媒体の取り出し時には予め決められた固定の大きさを有する前記少なくとも一つの一時欠陥管理領域上に記録されることを特徴とする請求項２８に記載の記録媒体。
【請求項４８】
データの記録時に欠陥領域が発生した場合、記録すべきデータを予め決められた領域上に代替記録し、前記記録ステップにおいて、前記欠陥領域に関わる欠陥管理情報は、前記発生した欠陥領域に最も近い一時欠陥管理領域がどちらであるかに応じて、予め決められた固定の大きさを有する前記少なくとも一つの一時欠陥管理領域または予め決められた固定の大きさでない大きさを有する前記少なくとも一つの一時欠陥管理領域のいずれかにランダムに記録することを特徴とする請求項２８に記載の記録媒体。
【請求項４９】
前記記録媒体の初期のローディング時に先ず、予め決められた固定の大きさでない大きさを有する前記少なくとも一つの一時欠陥管理領域にアクセスすることを特徴とする請求項２８に記載の記録媒体。
【請求項５０】
前記欠陥管理情報は、前記一時欠陥管理領域のどの領域がフル（ｆｕｌｌ）であるかの通知を与えるフル指示情報を含むことを特徴とする請求項２８に記載の記録媒体。
【請求項５１】
前記記録媒体のスペア領域がフルであるときに前記欠陥管理領域は欠陥管理情報を記録することを特徴とする請求項２８に記載の記録媒体。
【誤訳訂正２】
【訂正対象書類名】明細書
【訂正対象項目名】０００４
【訂正方法】変更
【訂正の内容】
【０００４】
ブルーレイディスクは、厚さ１．２ｍｍ、直径１２ｃｍを有し、厚さ０．１ｍｍの光透過層を有する。また、ブルーレイディスクは、６５０ｎｍ波長の赤色レーザーを使用する現在のＤＶＤに比べて波長の短い４０５ｎｍ波長の青紫色レーザーを使用するため、現在のＤＶＤに比べて遥かに大量のデータを格納することができる。
【誤訳訂正３】
【訂正対象書類名】明細書
【訂正対象項目名】００１９
【訂正方法】変更
【訂正の内容】
【００１９】
本発明によれば、１回だけ記録可能な記録媒体内の欠陥領域に記録される情報が代替記録領域に記録され、欠陥管理情報は、ディスク内の予め決められた領域に別に提供される複数の一時欠陥管理領域に記録される。特に、前記一時欠陥管理領域は、固定の大きさを有する一時欠陥管理領域（ＴＤＭＡ）と、スペア領域の大きさに連動する可変の大きさを有する一時欠陥管理領域（ＩＤＭＡ）とに分けられることにより、より効率よく欠陥管理情報を管理することが可能になる。
【誤訳訂正４】
【訂正対象書類名】明細書
【訂正対象項目名】００２０
【訂正方法】変更
【訂正の内容】
【００２０】
以下、図面を参照して本発明の実施例を詳細に説明すれば、次の通りである。なお、全図面において同一の図面符号は、同一の部分を意味するように使用された。
図３によれば、本発明のＢＤ−ＷＯのための光ディスクの記録再生装置２０は、次の構成要素を含んでいる。光ディスクの記録再生装置２０は、ＢＤ−ＷＯのような記録媒体２１にデータを記録したり記録媒体からデータを読み込むピックアップ２２と、ピックアップを制御しピックアップの対物レンズと記録媒体２１との間隔を一定に保持し、記録媒体２１上のトラックをトラッキングし一定に保持するピックアップサーボ２３と、ピックアップで読み込んだ信号を処理したり、記録のためにピックアップに入力すべき信号を信号処理するデータプロセッサ２４と、外部ホスト３０とのデータをやり取りするインターフェース２５と、欠陥管理に関わる情報を格納するメモリ２７と、記録再生装置２０の各構成要素の動作を制御するマイクロプロセッサ２６とを含む。また、光記録再生装置２０内の全ての構成要素は、動作可能に相互接続されている。ホスト３０は、前記記録媒体を読み書きする記録再生装置２０内のインターフェース２５に接続されており、相互データとコマンドをやり取りする。
【誤訳訂正５】
【訂正対象書類名】明細書
【訂正対象項目名】００２３
【訂正方法】変更
【訂正の内容】
【００２３】
本発明に係る一時欠陥管理領域（ＴＤＭＡ１またはＴＤＭＡ２）は、ＢＤ−ＷＯのリードイン領域及びデータ領域内に設けられる。ここで、前記ＴＤＭＡ（一時欠陥管理領域）は、前記最終あるいは永続的欠陥管理領域（ＤＭＡ１、ＤＭＡ２、ＤＭＡ３、ＤＭＡ４）とは区別される。特に、前記一時欠陥管理領域（ＴＤＭＡ）は、ＢＤ−ＷＯがファイナライズされるまで一時的に欠陥管理情報を記録し管理するのに使用される領域である。以降、欠陥管理情報は、図４に示す記録層上の最終あるいは永続的欠陥管理領域（ＤＭＡ１〜ＤＭＡ４）内に記録される。例えば、ＢＤ−ＷＯにおけるユーザーデータ領域上へのデータの記録が完了すれば、前記ＢＤ−ＷＯがファイナライズされるはずである。前記ＴＤＭＡは、リードイン領域内に固定の大きさ（例えば、２０４８クラスタ）を有する。
【誤訳訂正６】
【訂正対象書類名】明細書
【訂正対象項目名】００４７
【訂正方法】変更
【訂正の内容】
【００４７】
前記ＴＤＦＬは、媒体の使用途中に欠陥と判明されたクラスタのリストを含む情報である。これに関連して、ＴＤＤＳは、欠陥管理に関わるディスクのフォーマット及び状態を特定する情報を含む一般の全ての管理情報を提供する。ディスクのフォーマット情報は、欠陥領域の管理のためのディスク上の領域の特定のレイアウトに関わる情報を含んでおり、ディスク状態情報は、後述する多様なフラグ（ｆｌａｇ）を含む情報である。前記ＴＤＦＬは、ＢＤ−ＷＯ上の欠陥領域と代替領域のアドレスを含んでいる。一時欠陥管理領域（ＴＤＭＡ、ＩＤＭＡ）内に記録されたＴＤＤＳとＴＤＦＬは、永続的欠陥管理領域（例えばＤＭＡ１〜ＤＭＡ４）内に記録される永続的情報（ＤＤＳとＤＦＬ）になる。即ち、例えば、ディスクがファイナライズされる場合、ＴＤＤＳとＴＤＦＬは、少なくとも一つのＤＭＡに転送され記録される。ＢＤ−ＷＯへのユーザーデータの記録動作の途中に、前記ＴＤＤＳとＴＤＦＬは、周期的にまたは同時にアップデートされ、前記アップデートは、ＴＤＭＡ及び／またはＩＤＭＡに対し行われる。前記特有の動作は、後述する本発明の説明を通じてより明確になるはずである。
【誤訳訂正７】
【訂正対象書類名】明細書
【訂正対象項目名】００６８
【訂正方法】変更
【訂正の内容】
【００６８】
図１１は、本発明のＤＭＡ、ＴＤＭＡ、ＩＤＭＡが使用目的に応じて何時記録され、如何なる情報を有しているかをテーブルにて示しており、例えば、前記欠陥管理情報は、ＢＤ−ＷＯの使用中にはＩＤＭＡに記録され、ＢＤ−ＷＯの取り出し時にはＴＤＭＡに記録される。また、ＤＭＡのフィルイン（ｆｉｌｌ−ｉｎ）過程が発生した場合、例えば、ディスクがファイナライズされ更なる記録を行わないか、スペア領域またはＴＤＭＡ／ＩＤＭＡがフルになって更なる欠陥管理が行えない場合には、前記欠陥管理情報がＤＭＡに記録される。前記フル情報は、図１０に示すようにＴＤＤＳ内に記録されている。関連して、仮にＴＤＭＡとＩＤＭＡを使用目的に応じて別々に使用しない場合、図１１に示すようにＴＤＭＡ及びＩＤＭＡに記録する時間の区分は必要ではないことが自明である。図１１に示すテーブルは、ＤＭＡ、ＴＤＭＡ、ＩＤＭＡが使用目的に応じて何時記録され、如何なる情報を有しているかを示すものであって、前述した図４〜図１０に示すディスクの構造及び方法と図３に示す装置にも適用可能である。